(57)【要約】【課題】コンテンツのダビング先として適用すること等が想定される次世代の外部記憶装置に対しネットワークダビングをサポートすることの可能な記録再生装置を提供する。【解決手段】記録再生装置１は、ＬＡＮ５上の他の記録再生装置２、３、４…ｎの外部記憶装置の種別情報の返信結果が、未登録の種別の外部記憶装置を示す情報であった場合、予め未登録の種別用に確保していたアドレス情報をＬＡＮ５上で当該未登録の種別の外部記憶装置に対して割り当てる。すなわち、ＬＡＮ５上の他の記録再生装置２、３、４…ｎは、０ｘ０１：ＨＤＤ、０ｘ０２：ＤＶＤ、０ｘ０４：ＨＤＤ２、０ｘ０８：記憶装置＃４といったビットを組み合わせた情報を外部記憶装置の種別を示す情報として、記録再生装置１に対して返信する。【選択図】図１
2006012095.tif 000002
【特許請求の範囲】
【請求項１】
ネットワークを通じて接続される他の記録再生装置に対し、該他の記録再生装置が有する外部記憶装置の種別情報の返信要求を前記ネットワーク上に送信する種別情報要求手段と、
前記種別情報要求手段による前記返信要求に対応して返信された前記外部記憶装置の種別情報を受信する種別情報受信手段と、
前記種別情報受信手段によって受信された前記外部記憶装置の種別情報が、未登録の種別の外部記憶装置を示す情報であった場合、予め未登録の種別用に確保していたアドレス情報を前記ネットワーク上で当該外部記憶装置に対して割り当てるアドレス指定手段と
を具備することを特徴とする記録再生装置。
【請求項２】
前記アドレス指定手段により、前記未登録の種別の外部記憶装置とともに前記アドレス情報が割り当てられた前記ネットワーク上の全ての外部記憶装置から、ダビングの可否を示す情報を受信するダビング可否情報受信手段と、
前記ダビング可否情報受信手段による受信結果を報知することにより、ダビング先として指定される外部記憶装置の選択を促す選択要請手段と、
前記選択要請手段を通じて選択された外部記憶装置に対しダビングの要求を行うダビング要求手段と
をさらに具備することを特徴とする請求項１記載の記録再生装置。
【請求項３】
他の記録再生装置に対しネットワークを通じて接続される記録再生装置を制御してネットワークダビングを行うダビング方法であって、
前記他の記録再生装置に対し、該他の記録再生装置が有する外部記憶装置の種別情報の返信要求を前記記録再生装置により前記ネットワーク上に送信するステップと、
前記ネットワーク上に送信された前記返信要求に対応して返信された前記外部記憶装置の種別情報を前記記録再生装置側で受信するステップと、
前記受信された前記外部記憶装置の種別情報が、未登録の種別の外部記憶装置を示す情報であった場合、予め未登録の種別用に確保していたアドレス情報を前記記録再生装置が前記ネットワーク上で当該外部記憶装置に対して割り当てるステップと
を有することを特徴とするダビング方法。
【発明の詳細な説明】
【技術分野】
【０００１】
本発明は、例えばディジタル形式のコンテンツをダビングすること等が可能な記録再生装置及びダビング方法に関する。
【背景技術】
【０００２】
近年、映像ソフト等のコンテンツをディジタルデータ形式で記録再生することが可能な装置が急速に普及している。中でも複数の種類の記録メディアの記録／再生に対応し、これらのメディア間でのダビング（コピー）機能を備えた装置が市場ではより受け入れられている。
【０００３】
例えば、ＤＶＤ−ＲＡＭやＤＶＤ−Ｒ／ＲＷ等といった情報の書き込みに対応する光ディスクとハードディスクとを上記記録メディアとして適用する記録再生装置が提案されている（例えば特許文献１参照）。
【０００４】
ここで、上に例示した種類の光ディスクは、今日では低コスト化が図られ、一般ユーザでも手軽に入手することが可能になっている。しかしながら、このような光ディスクは、記憶容量の点では、現行のハードディスクには、大きく引けをとっており、記憶容量の大きいコンテンツをダビングする場合等に課題を抱えている。
【特許文献１】特開２００４−５５０１０号公報
【発明の開示】
【発明が解決しようとする課題】
【０００５】
ここで、大容量のコンテンツをダビングする場合には、例えばハードディスクをそれぞれ搭載した複数の記録再生装置をネットワーク上に接続し、ネットワークを経由して記録再生装置間でダビングを行うこと等が有用である。また、今日では、記憶容量のさらなる向上を図るために新たなストレージデバイスの開発が進められている。そこで、次世代の記憶メディアを備えたデバイスの登場を見越して、上記した記録再生装置に対しては、この新たな記憶メディアをネットワークを経由したダビング先に指定する等といったネットワークダビングをサポートさせることへの要請がある。
【０００６】
本発明は、上記課題を解決するためになされたもので、後にコンテンツのダビング先として適用すること等が想定される例えば次世代の外部記憶装置に対し、ネットワークダビングをサポートする記録再生装置及びダビング方法の提供を目的とする。
【課題を解決するための手段】
【０００７】
上記目的を達成するために、本発明に係る記録再生装置は、ネットワークを通じて接続される他の記録再生装置に対し、該他の記録再生装置が有する外部記憶装置の種別情報の返信要求を前記ネットワーク上に送信する種別情報要求手段と、前記種別情報要求手段による前記返信要求に対応して返信された前記外部記憶装置の種別情報を受信する種別情報受信手段と、前記種別情報受信手段によって受信された前記外部記憶装置の種別情報が、未登録の種別の外部記憶装置を示す情報であった場合、予め未登録の種別用に確保していたアドレス情報を前記ネットワーク上で当該外部記憶装置に対して割り当てるアドレス指定手段とを具備することを特徴とする。
【０００８】
すなわち、本発明によれば、未登録の種別の外部記憶装置であっても、予め確保されているアドレス情報をネットワーク上で割り当てることができるので、将来的に採用される未知（次世代）の外部記憶装置に対してもコンテンツのダビング先として指定すること等が可能となる。
【０００９】
また、本発明の記録再生装置は、前記アドレス指定手段により、前記未登録の種別の外部記憶装置とともに前記アドレス情報が割り当てられた前記ネットワーク上の全ての外部記憶装置から、ダビングの可否を示す情報を受信するダビング可否情報受信手段と、前記ダビング可否情報受信手段による受信結果を報知することにより、ダビング先として指定される外部記憶装置の選択を促す選択要請手段と、前記選択要請手段を通じて選択された外部記憶装置に対しダビングの要求を行うダビング要求手段とをさらに具備することを特徴とする。
【００１０】
また、本発明のダビング方法は、他の記録再生装置に対しネットワークを通じて接続される記録再生装置を制御してネットワークダビングを行うダビング方法であって、前記他の記録再生装置に対し、該他の記録再生装置が有する外部記憶装置の種別情報の返信要求を前記記録再生装置により前記ネットワーク上に送信するステップと、前記ネットワーク上に送信された前記返信要求に対応して返信された前記外部記憶装置の種別情報を前記記録再生装置側で受信するステップと、前記受信された前記外部記憶装置の種別情報が、未登録の種別の外部記憶装置を示す情報であった場合、予め未登録の種別用に確保していたアドレス情報を前記記録再生装置が前記ネットワーク上で当該外部記憶装置に対して割り当てるステップとを有することを特徴とする。
【発明の効果】
【００１１】
このように、本発明によれば、後にコンテンツのダビング先として適用すること等が想定される例えば次世代の外部記憶装置に対し、ネットワークダビングをサポートすることの可能な記録再生装置及びダビング方法を提供することができる。
【発明を実施するための最良の形態】
【００１２】
以下、本発明を実施するための最良の形態を図面に基づき説明する。
図１は、本発明の実施形態に係る記録再生装置が他の記録再生装置とネットワークを通じて接続された状態を示す機能ブロック図、図２は、図１の本実施形態の記録再生装置の構成を示す機能ブロック図である。
図１及び図２に示すように、この実施形態の記録再生装置１は、ＬＡＮ（Local Area Network）５上の他の記録再生装置２、３、４…ｎの外部記憶装置（記憶メディア）に対しコンテンツのネットワークダビングを実現するものである。図１に示すように、ダビングを行うための主体となる記録再生装置１は、ＡＶ（audio visual）入力部１１と、ＴＶチューナ１２と、エンコーダ部１３と、ディスクドライブ部１４と、デコーダ部１５と、モニタ７に可視情報を表示するためのＡＶ出力部１６と、ＭＰＵ（micro processing unit）１７と、メモリ３２と、操作入力部１８と、リモコンインタフェース３０を介してコントロール信号を入力するリモコン３１と、ＬＡＮポート３３を制御する通信制御部２０とから構成される。ディスクドライブ部１４には、ＤＶＤ−ＲＡＭやＤＶＤ−Ｒ／ＲＷ等の光ディスク８に対し読み出し及び書き込みを行うＤＶＤドライブ装置１ｂと、ハードディスク１ａとが設けられている。
【００１３】
ＡＶ入力部１１は、映像情報信号及び音声情報信号を外部から入力するインターフェースである。入力された各信号はエンコーダ部１３に送られる。ＡＶ入力部１１に入力される各信号は、アナログ形式、ディジタル形式どちらも考えられる。信号がアナログ形式の場合には、このＡＶ入力部１１又は次段のエンコーダ部１３の初段階でディジタル形式に変換される。ＴＶチューナ１２は、放送波に同調をとって映像情報信号及び音声情報信号を取り出すものである。取り出された映像情報信号及び音声情報信号はエンコーダ部１３に送られる。ＴＶチューナ１２の出力はアナログ形式、ディジタル形式どちらも考えられる。アナログ形式の場合は次段のエンコーダ部１３の初段階でディジタル形式に変換される。
【００１４】
エンコーダ部１３は、送られてきた映像情報信号及び音声情報信号を次段の記録メディアに記録するためのディジタル形式の信号にエンコード（符号化；情報圧縮を含む）するものである。エンコードされた信号は、ディスクドライブ部１４に送られる。ディスクドライブ部１４は、記録メディアである光ディスク８やハードディスク１ａに信号を記録し、またそれらの記録メディアに記録された信号を読み取り出力する。また、ディスクドライブ部１４には、一時記憶部等が設けられており、この一時記憶部は、これらのメディアへの記録時、読み取り時に信号のバッファリングを行う。
【００１５】
デコーダ部１５は、ディスクドライブ部１４で読み出された信号をデコード（復号；情報の伸張を含む）する。デコードされた信号はＡＶ出力部１６に送られる。ＡＶ出力部１６は、デコーダ部１５から送られた信号を再生映像信号及び再生音声信号として外部に出力するものである。この出力信号はアナログ形式、ディジタル形式いずれも考えられる。アナログ形式で出力する場合は、デコーダ部１５の最終段又はこのＡＶ出力部１６でアナログ形式に変換される。
【００１６】
ＭＰＵ１７は、記録再生装置１の動作を統括的に制御するものであり、メモリ２３にシステムバスを通じて接続されている。メモリ２３は、記録再生装置１の動作プログラムが記憶されたＲＯＭと、この動作プログラムの作業領域を提供するＲＡＭ等を含む。ＭＰＵ１７は、エンコーダ部１３、ディスクドライブ部１４、デコーダ部１５等の動作を制御する他、操作入力部１８からの入力信号に基づいて、ネットワークとしてのＬＡＮ５を介して接続される他の記録再生装置２、３、４…ｎに対し、外部記憶装置（記録メディア）の例えば種別情報の送信をＬＡＮ５を介して要求する（図１参照）。
【００１７】
操作入力部１８は、ユーザがこの記録再生装置１を操作するための一般的な入力部であるが、特にダビング先の外部記憶装置の選択を受け付けるために用いられる。受け付けられた選択は、信号としてＭＰＵ１７にもたらされる。モニタ７は、ユーザに対してこの記録再生装置１に関する報知情報を表示するための表示部である。モニタ７には、ＬＡＮ５を通じて接続される（同一サブネット内の）他の記録再生装置２、３、４…ｎに対し、これらの記録再生装置が有する外部記憶装置の種別情報の返信要求がブロードキャストメッセージとして送信された場合、他の記録再生装置２、３、４…ｎのネットワーク機器名（ダビング対応機器名）、及び他の記録再生装置２、３、４…ｎが有する外部記憶装置名（ダビング先記憶メディア名）の一覧が可視的に表示される（図３参照）。ここで、このようにダビングの可否情報によって装置の選択を促されたユーザが、リモコン３１や操作入力部１８を通じて、ダビング先の所定の外部記憶装置を選択することでコンテンツのダビングが開始される。
【００１８】
また、図１に示すように、ＬＡＮ５上の記録再生装置２には、記録メディアとして、ハードディスク２ａと、後に詳述する次世代（未知）の外部記憶装置（♯５）２ｂとが搭載されているものとする。また、記録再生装置３には、記録メディアとして一台のハードディスク３ａが搭載され、記録再生装置４には、二台のハードディスク４ａ、４ｂが搭載されている。さらに、記録再生装置ｎには、次世代の外部記憶装置（♯４）ｎａ、（♯８）ｎｂが搭載されている（図３参照）。また、モニタ７には、図４に示すように、現在のダビング状況、つまり、現在どの種別の外部記憶装置からどの種別の外部記憶装置へのダビングが行われているかが、アイコン等のオブジェクト及び文字情報で表示される。詳細には、「ＨＤＤ→ＤＶＤへダビング中」、「ＨＤＤ→ＨＤＤへダビング中」、「「ＨＤＤ→未知の外部記憶装置にダビング中」等といった情報が、モニタ７に可視的に表示される。
【００１９】
通信制御部２０は、ＭＰＵ１７からの要求信号をＬＡＮ５に出力する通信出力部、及び他の記録再生装置２、３、４…ｎからＬＡＮ５に出力されている返信信号及びディジタルコンテンツ信号を取り込む入力部として機能する。要求信号及び返信信号はＭＰＵ１７との間でやり取りされ、ディジタルのコンテンツ信号はディスクドライブ部１４との間でやり取りされる。なお、この記録再生装置１が「他の記録再生装置」となる場合には、通信制御部２０はディジタルコンテンツ信号の通信出力部になる。
【００２０】
また、通信制御部２０に接続可能なネットワークとしては、ＬＡＮ５の他、インターネット（例えばＩＰアドレスが上位からある程度の桁まで一致するもののみを対象とする）等を例示することができる。このネットワークに１つ以上の他の記録再生装置が接続されているものとして以下説明を続ける。
【００２１】
ここで、本実施形態の記録再生装置１が備える、コンテンツのダビング先として、ＬＡＮ５上の次世代の未知の外部記憶装置（♯５）２ｂ、（♯４）ｎａ、（♯８）ｎｂに対し、ネットワークダビングをサポートする機能について詳述する。
すなわち、記録再生装置１は、ＬＡＮ５上の他の記録再生装置２、３、４…ｎの外部記憶装置の種別情報の返信結果が、未登録の種別の外部記憶装置を示す情報であった場合、予め未登録の種別用に確保していたアドレス情報（例えばＩＰアドレス）をＬＡＮ５上で当該未登録の種別の外部記憶装置に対して割り当てる。詳細には、ＬＡＮ５上の他の記録再生装置２、３、４…ｎは、以下のビットを組み合わせた情報を外部記憶装置の種別を示す情報として、記録再生装置１に対して返信する。すなわち、０ｘ０１：ＨＤＤ、０ｘ０２：ＤＶＤ、０ｘ０４：ＨＤＤ２、０ｘ０８：記憶装置＃４、０ｘ１０：記憶装置＃５、０ｘ２０：記憶装置＃６、０ｘ４０：記憶装置＃７、０ｘ８０：記憶装置＃８といった情報である。ここで、記憶装置♯４〜♯８は次世代で採用される未知の外部記憶装置である。このような１〜８等の番号を用いて、外部記憶装置をＬＡＮ５上に指定することで、ダビングの可否が外部記憶装置の種別に依存してしまわないようにする。
【００２２】
次に、このように構成された記録再生装置１と、ＬＡＮ５上の他の記録再生装置２、３、４…ｎの外部記憶装置（記憶メディア）との間で、コンテンツのネットワークダビングを行う場合について、図５ないし図８に示すフローチャートを用いて説明を行う。ここで、図５は、記録再生装置１のネットワークダビング時の処理を示すフローチャート、図６ないし図８は、ダビング先になり得る他の記録再生装置２、３、４…ｎのネットワークダビング時の各処理を示すフローチャートである。
【００２３】
図５ないし図８に示すように、ネットワークダビングの主体となる記録再生装置１は、まず、検索要求待ちのＬＡＮ５上の他の記録再生装置２、３、４…ｎに対し（Ｓ２１）、これらの記録再生装置が有する外部記憶装置の種別情報の返信要求をＬＡＮ５上にブロードキャストする（Ｓ１）。この返信要求（Ｓ２２）に対応する返信情報（外部記憶装置の種別情報）を応答待ちし（Ｓ２）、返信情報が受信した後（Ｓ２３）、図３に示すように、モニタ７にダビング可能な外部記憶装置（ダビング可能機器）を一覧表示するとともに、ダビング先ダバイス選択を促す情報を可視的に表示する（Ｓ３）。ここで、外部記憶装置の種別情報の返信結果が、上述したように未登録の種別の外部記憶装置を示す情報であった場合、未登録の種別用のアドレス情報をＬＡＮ５上でこの外部記憶装置に対して割り当てる。次に、操作入力部１８を通じて、ユーザがダビング先の所望の外部記憶装置を選択すると（Ｓ３１，Ｓ３２）、ダビング先の外部記憶装置の詳細情報（記憶可能な残容量、及びダビング可能なコンテンツのタイトル数等）が取得される（Ｓ４）（Ｓ３３）。
【００２４】
この後、操作入力部１８を通じて、ユーザがダビングの開始を要求すると（Ｓ４１，Ｓ４２）、ダビング先の外部記憶装置がダビング可能であるか否かがＭＰＵ１７によって判断される（Ｓ５）。ダビングが不可能であると判断された場合には（Ｓ５のＮＯ）、モニタ７にエラー表示が出力され（Ｓ６）、一方、ダビングが可能であると判断された場合には（Ｓ５のＹＥＳ）、ダビングが開始されるとともに、図４に示すように、モニタ７にダビング状態が表示される（Ｓ７）（Ｓ４３）。
【００２５】
このように、本実施形態の記録再生装置１によれば、未登録の種別の外部記憶装置を備えた記録再生装置がＬＡＮ５上に接続されている場合でも、この未登録の種別の外部記憶装置に対し、予め確保されているアドレス情報をＬＡＮ５上で割り当てることができるので、将来的に採用される未知（次世代）の外部記憶装置であってもコンテンツのダビング先として指定することできる。
【００２６】
以上、本発明を実施の形態により具体的に説明したが、本発明は前記実施形態にのみ限定されるものではなく、その要旨を逸脱しない範囲で種々変更可能である。例えば、上述した実施形態では、外部記憶装置が記録再生装置に搭載されたものが、デバイスとして例示されていたが、無論、ダビング先の外部記憶装置は、いわゆる外付けの単体のハードディスク装置や単体の光ディスク装置等であってもよい。
【図面の簡単な説明】
【００２７】
【図１】本発明の実施形態に係る記録再生装置が他の記録再生装置とネットワークを通じて接続された状態を示す機能ブロック図。
【図２】図１の本実施形態の記録再生装置の構成を示す機能ブロック図。
【図３】図１の記録再生装置に接続されたモニタに表示されるダビング可能な外部記憶装置とこれを搭載する記録再生装置を示す一覧表示画面。
【図４】図３のモニタに表示される装置間のダビング状態を示す表示画面。
【図５】図２の記録再生装置によるネットワークダビング時の処理を示すフローチャート。
【図６】図１の他の記録再生装置によるネットワークダビング時の検索受付処理を示すフローチャート。
【図７】図１の他の記録再生装置によるネットワークダビング時のダビング状態取得処理を示すフローチャート。
【図８】図１の他の記録再生装置によるネットワークダビング時のダビング開始要求処理を示すフローチャート。
【符号の説明】
【００２８】
１…記録再生装置、１ａ，２ａ，３ａ，４ａ…ハードディスク、１ｂ…ＤＶＤドライブ装置、２，３，４，ｎ…他の記録再生装置、２ｂ，ｎａ，ｎｂ…次世代（未知の）の外部記憶装置、７…モニタ、８…光ディスク、１４…ディスクドライブ部、１７…ＭＰＵ。
【図１】
2006012095.tif 000003
【図２】
2006012095.tif 000004
【図３】
2006012095.tif 000005
【図４】
2006012095.tif 000006
【図５】
2006012095.tif 000007
【図６】
2006012095.tif 000008
【図７】
2006012095.tif 000009
【図８】
2006012095.tif 000010